(57)【要約】【課題】  光源部で発光する光の発散を防止することができる光源装置を提供する。【解決手段】  光源装置１は、光を発光するＬＥＤ１７から発光された照明光を各種機器のライトガイド５の端部に入射する。この光源装置１は、ＬＥＤ１７から発光された照明光が入射され、この入射された入射光を多重反射させながら集めてライトガイド５の端部に出射するプリズム３がＬＥＤ１７とライトガイド５との間に設けられている。【選択図】    図１
2005025136.tif 000002
【特許請求の範囲】
【請求項１】
光を発光する複数の発光素子を有する光源部を備え、この光源部から発光された照明光を各種機器のライトガイドの端部に入射するための光源装置において、
前記光源部から発光された照明光が入射され、この入射された入射光を多重反射させながら集光させて前記ライトガイドの端部に出射する光学素子が前記光源部とライトガイドとの間に設けられていることを特徴とする光源装置。
【請求項２】
前記光学素子は、前記光源部に対向して設けられ、前記光源部で発光した照明光の少なくとも一部が入射される第１の面と、この第１の面に対して対向して配置されるとともに、前記第１の面と協働して前記照明光を多重反射させる第２の面と、多重反射させた光を集めて外部に出射する第３の面とを有するプリズムを備えていることを特徴とする請求項１に記載の光源装置。
【請求項３】
前記第２の面には、前記光源部からの照明光を反射させる反射膜が設けられていることを特徴とする請求項２に記載の光源装置。
【請求項４】
前記第１ないし第３の面はそれぞれ平面を有し、
前記第１および第２の面に有する平面は、その平面同士がなす角度が４５度以下であり、
前記第２および第３の面に有する平面は、その平面同士がなす角度が９０度以下であることを特徴とする請求項２もしくは請求項３に記載の光源装置。
【発明の詳細な説明】
【技術分野】
【０００１】
この発明は、例えば医療用や工業用内視鏡、画像検査装置、顕微鏡観察装置などの機器に光を供給する光源装置に関する。
【背景技術】
【０００２】
複数のＬＥＤなど、小型光源を同時に点灯してその光源から出射された光線（照明光）を多数の光ファイバを束ねたファイバー束を有するライトガイドに向けて出射する光源装置は既に知られている。例えば特許文献１には、図７に示すように光源装置１０１が開示されている。この光源装置１０１は、電源装置１０２と、光源部１０３と、集光レンズ１０４とを備えている。光源部１０３は、電源装置１０２に接続されている。光源部１０３は、発光素子１０７が設けられた基板１０８を備えている。このため、電源装置１０２から基板１０８に電力が供給されると発光素子１０７が発光する。集光レンズ１０４は、発光素子１０７の照明光を集光する。集光レンズ１０４によって照明光が集光された位置には、ライトガイド１１０の入射端部１１０ａが設けられている。このため、発光素子１０７の照明光は、入射端部１１０ａに入射される。入射端部１１０ａに入射された入射光は、ライトガイド１１０を通して出射端部１１０ｂに導かれて出射されて対象物を照明する。
【特許文献１】特開２００１−３５６２４７号公報
【発明の開示】
【発明が解決しようとする課題】
【０００３】
しかしながら、図７に示す特許文献１に開示された光源装置１０１における光源部１０３で発光する発光素子１０７の照明光は発散光である。このため、集光レンズ１０４を透過した光も発散し、光が一点（ライトガイド１１０の入射端部１１０ａ）に集光することはない。つまり、ライトガイド１１０に入射される光は光源部１０３から出射され、集光レンズ１０４に入射された照明光の一部に過ぎず、集光効率が悪い。
【０００４】
この発明は、このような課題を解決するためになされたもので、その目的は、光源部で発光する光の発散を防止することができる光源装置を提供することにある。
【課題を解決するための手段】
【０００５】
上記課題を解決するために、この発明の光源装置は、光を発光する複数の発光素子を有する光源部を備え、この光源部から発光された照明光を各種機器のライトガイドの端部に入射する。この光源装置は、前記光源部から発光された照明光が入射され、この入射された入射光を多重反射させながら集光させて前記ライトガイドの端部に出射する光学素子が前記光源部とライトガイドとの間に設けられていることを第１の特徴とする。
【０００６】
このような構成を有するので、光源部から光学素子の内部に導かれた入射光を多重反射させながらライトガイドの端部に出射することができる。このため、光源部で発光した照明光のうち、光学素子に入射された入射光を効率よくライトガイドの端部に出射することができる。
【０００７】
また、前記光学素子は、前記光源部に対向して設けられ、前記光源部で発光した照明光の少なくとも一部が入射される第１の面と、この第１の面に対して対向して配置されるとともに、前記第１の面と協働して前記照明光を多重反射させる第２の面と、多重反射させた光を集めて外部に出射する第３の面とを有するプリズムを備えていることを第２の特徴とする。  
このような構成を有するので、プリズムの第１の面に入射された入射光を第２の面と第１の面とで多重反射させて第３の面に導いたり、第１の面に入射された入射光を第３の面に直接導いたりして、プリズムに入射された入射光の発散を防止することができる。このため、光源部で発光した照明光のうち、第１の面でプリズムに入射された入射光を効率よく第３の面から出射することができる。
【０００８】
また、前記第２の面には、前記光源部からの照明光を反射させる反射膜が設けられていることを第３の特徴とする。  
このような構成を有するので、プリズムの外に入射光が逃げることを防止することができ、プリズムに入射された入射光をさらに効率よく出射することができる。
【０００９】
また、前記第１ないし第３の面はそれぞれ平面を有し、前記第１および第２の面に有する平面は、その平面同士がなす角度が４５度以下であり、前記第２および第３の面に有する平面は、その平面同士がなす角度が９０度以下であることを第４の特徴とする。  
このような構成を有するので、第１の面からプリズムに入射された入射光を確実に第３の面に向けて導くことができる。
【発明の効果】
【００１０】
この発明によれば、光源部で発光する光の発散を防止することができる光源装置を提供することができる。
【発明を実施するための最良の形態】
【００１１】
以下、図面を参照しながらこの発明を実施するための最良の形態について説明する。まず、第１の実施の形態について図１ないし図３を用いて説明する。
【００１２】
図１に示すように、この実施の形態に係わる光源装置１は、光源ユニット（光源部）２と、光源ユニット２で発光された照明光が入射される光学素子としてプリズム３とを備えている。このプリズム３には、光源ユニット２で発光した照明光（出射光）の一部が入射される。また、プリズム３は、この入射光を所定の位置（面）から出射する。プリズム３から出射された出射光は、例えば内視鏡や画像検査装置、顕微鏡観察装置などの機器に設けられたライトガイド５の一端部に入射される。
【００１３】
このライトガイド５は、例えば円筒状の筒状部材１２を備えている。この筒状部材１２の内部には、円盤状のカバーガラス１３と、円柱状のロッドレンズ１４と、ライトガイドファイバー１５とが軸方向に順次設けられている。カバーガラス１３は、ライトガイド５の防塵用に用いられる。ロッドレンズ１４は、照明光の発散を抑えるため、カバーガラス１３に一端面が接触した状態で配設されている。このロッドレンズ１４の外周には、コア部分よりも低屈折率であるクラッドガラスが設けられている。このため、このロッドレンズ１４は、配光のムラを防止することができ、抗散板としての作用を有する。ライトガイドファイバー１５は、複数の光ファイバが束ねられ、照明光の発散を抑えるためにロッドレンズ１４の他端面が接触した状態で一端部が配設されている。
【００１４】
光源ユニット２は、複数の砲弾型ＬＥＤ１７と、これらＬＥＤ１７が固定され、電気的配線が形成された実装基板１８とを備えている。この実装基板１８には、複数のＬＥＤ１７を個別に発光制御する制御駆動回路（制御駆動装置）１９が電気的に接続されている。
【００１５】
この制御駆動回路１９は、実装基板１８を通して各ＬＥＤ１７に電圧を印加する。電圧が印加されたＬＥＤ１７は発光する（光を出射する）。ここで、各ＬＥＤ１７に印加される電圧は二値であり、時間比率を変えることによって発光量が変調される。ここでは、各ＬＥＤ１７には、例えばパルス状に電圧が印加される。各ＬＥＤ１７は、印加される電圧のパルス幅を長くするにつれて照明光量が増加し、パルス幅を短くするにつれて次第に照明光量が減少する。
【００１６】
図２に示すように、ＬＥＤ１７の照明光が入射されるプリズム３は、例えばガラス材で楔形を有する７面体に形成されている。図２および図３に示すように、プリズム３の７つの面のうち２つの面２１は、互いに平行で同一形状を有する五角形状を備えている。２つの五角形状の平面２１は、それぞれ第１ないし第５の辺２１ａ−２１ｅを有する。第１および第２の辺２１ａ，２１ｂは互いに直交している。また、第１の辺２１ａは、第２の辺２１ｂよりも長い。これら第１および第２の辺２１ａ，２１ｂは、それぞれ途中で切断され、第３の辺２１ｃと交わる第４および第５の辺２１ｄ，２１ｅにそれぞれ直交している。すなわち、第１の辺２１ａは第５の辺２１ｅに対して平行である。第２の辺２１ｂは第４の辺２１ｄに対して平行である。このとき、第１および第３の辺２１ａ，２１ｃとの間の第４の辺２１ｄと、第２および第３の辺２１ｂ，２１ｃとの間の第５の辺２１ｅとの両者は、第１ないし第３の辺２１ａ，２１ｂ，２１ｃよりも短い。
【００１７】
そして、２つの五角形状の面２１の間には、それぞれ第１ないし第５の辺２１ａ−２１ｅの間に矩形状の平面２３−２７が形成されている。２つの五角形状の面２１の対向する第１の辺２１ａ間に設けられる平面（第２の平面）２３には、可視光線を反射する反射膜３０がコーティングされている。また、図１に示すように、第３の辺２１ｃ間に設けられた平面（第１の平面）２５には、この平面２５に対向して光源ユニット２のＬＥＤ１７が配設されている。この平面２５とＬＥＤ１７との間の距離は、ＬＥＤ１７の照明光の発散を極力抑えるため、できるだけ短い（近い）ことが好ましい。
【００１８】
このライトガイド５の端部（カバーガラス１３）は、五角形状の平面２１で直角をなす２つの辺２１ａ，２１ｂのうち、短い方の平行な２つの辺２１ｂを有する平面（第３の平面）２４に対向して配置されている。このとき、カバーガラス１３と第３の平面２４との間の距離は、ＬＥＤ１７の照明光の発散を極力抑えるため、できるだけ短いことが好ましい。
【００１９】
次に、この実施の形態に係わる光源装置１の作用について説明する。  
光源ユニット２の制御駆動装置１９を作動させて実装基板１８を通して各ＬＥＤ１７に電圧を印加する。このとき、制御駆動装置１９は、印加する電圧の出力およびパルス幅を制御する。そうすると、各ＬＥＤ１７は、それぞれ所定の光量で発光する。
【００２０】
各ＬＥＤ１７の照明光のうちの一部は、所定の屈折率を有するプリズム３の第１の平面２５に入射される。第１の平面２５に入射された入射光は、反射膜３０を有する第２の平面２３によって所定の波長を有する可視光線が全反射される（図３参照）。そして、第２の平面２５によって反射された入射光は、再び第１の平面２５によって反射される。このように、プリズム３への入射光は第２および第１の平面２３，２５での反射を繰り返しながら、すなわち多重反射しながら第３の平面２４に向かう。なお、第１の平面２５からの入射光の一部は第１の平面２５から直接第３の平面２４に向かう。第３の平面に向かった入射光は、第３の平面２４から出射される。このとき、第３の平面２４から出射される出射光の多くは、プリズム３の内部で多重反射されたものであり、プリズム３内の第１および第２の平面２５，２３から外部に入射光が漏れ出すことが極力防止される。このため、プリズム３の第３の平面２４から外部に出射される出射光の光量の損失はプリズム３の第１の平面２５に入射された入射光の光量に対して小さく抑えられる。すなわち、光の発散が低く抑えられる。
【００２１】
そして、第３の平面２４から出射された出射光は、ライトガイド５のカバーガラス１３およびロッドレンズ１４を介してライトガイドファイバー１５の一端に入射される。ライトガイドファイバー１５の一端に入射された入射光は、ライトガイドファイバー１５の他端まで導かれる。この入射光は、このライトガイドファイバー１５の他端から出射されて対象物を照明する。
【００２２】
以上説明したように、この実施の形態によれば、以下の効果が得られる。  
ＬＥＤ１７によって発光された照明光は、プリズム３に第１の平面２５から入射される。そして、プリズム３に入射された入射光は、主に第２の平面２３と第１の平面２５とで多重反射されながら第３の平面２４に向かう。したがって、第１および第２の平面２５，２３から光が出射して発散することを極力防止することができる。そうすると、第３の平面２４に光を集めた状態で出射光をライトガイド５に導くことができる。すなわち、この光源装置１は、プリズム３を使用してＬＥＤ１７からの照明光のうちの入射光を集めた状態でこの入射光を出射することができ、光の発散を極力防止することができる。言い換えると、プリズム３に入射された入射光は、その入射光に対して光量の損失を少なくした状態で出射されるので、プリズム３に入射された入射光を効率良く出射することができる。
【００２３】
なお、この実施の形態では、ライトガイド５にロッドレンズ１４やカバーガラス１３を有することを説明したが、これら部材を除去した構成であっても構わない。すなわち、プリズム３の第３の平面２４からの出射光が直接ライトガイド５のライトガイドファイバー１５の一端部に入射される構成であっても良い。
【００２４】
また、プリズム３には、第１および第２の辺２１ａ，２１ｂによって形成される直角部分を必ずしも有する必要はない。例えば、第１の平面２５と第２の平面２３とがなす角度は４５°以下であり、第２の平面２３と第３の平面２４とがなす角度は９０°以下であることが好ましい。すなわち、第１の平面２５に入射された入射光が第２および第１の平面２３，２５で多重反射しながら第３の平面２４に向かうように形成されていれば良い。
【００２５】
また、プリズム３の材質は、ガラス材として説明したが、他に光を透過する透明な樹脂材（例えばポリメタクリル酸メチル）であってもよい。また、反射膜３０は可視光線だけでなく、赤外線や紫外線を反射するものであってもよい。また、反射率が低下することが許容できれば、プリズム３に反射膜３０は設けられていなくとも構わない。
【００２６】
また、ＬＥＤ１７には、被照明物が自然な色に見える高演色蛍光体を内包した白色ＬＥＤが使用されることが好ましい。その他、赤緑青の三原色をなす単色ＬＥＤを組み合わせてもよい。あるいは、赤味の少ない見え方を許容することができれば、黄色蛍光体と青色発光素子を組み合わせた白色ＬＥＤを用いても良い。また、ＬＥＤの形状は砲弾形でなく、複数のＬＥＤチップを一つのパッケージに収納したＬＥＤアレイを用いてよい。
【００２７】
また、プリズム３の第２の平面２３に反射膜（コーティング）３０が設けられていることを説明したが、第１および第３の平面２５，２４以外の面２６，２７の全てまたは一部に反射膜が設けられていることが好ましい。そうすると、プリズム３の第４および第５の面２６，２７（図２参照）に入射された入射光の反射量が増すので第３の平面２４に集められる光をさらに多くすることができる。また、第１の平面２５の一部に反射膜が設けられていても良い。そうすると、ＬＥＤ１７の照明光による入射光の反射光率を向上させ、光の発散をさらに防止することができる。
【００２８】
また、プリズム３の形状は楔形に限ることはなく、例えば図４（Ａ）に示すような円柱の一部を略平面状にカットした第１の面２５ａを有する形状や、図４（Ｂ）に示す円錐の一部を略平面状にカットした第１の面２５ｂを有する略円錐台形状であってもよい。このようなプリズム３は、第１の面２５ａ，２５ｂから入射された入射光がそれぞれ反射膜３０を有する曲面状の第２の面２３ａ，２３ｂで反射する。このとき、これら反射光は略螺旋状にプリズム３の内部を反射しながらそれぞれ第３の平面２４ａ，２４ｂに向けて集められて出射される。すなわち、図４（Ａ）に示す略円柱状のプリズム３ａでは、光源ユニット２のＬＥＤ１７に対向する位置にカットされた面（第１の面）２５ａを配置する。すると、円柱状のプリズム３ａの内部にＬＥＤ１７の照明光の一部が入射され、その入射光はプリズム３の外周面（第２の面）２３ａと第１の面２５ａとで、または第２の面２３ａ同士で多重反射を繰り返して平面状の面（第３の面）２４ａから出射される。また、図４（Ｂ）に示す略円錐台状のプリズム３ｂでは、光源ユニット２のＬＥＤ１７に対向する位置にカットされた面（第１の面）２５ｂを配置する。すると、略円錐台状のプリズム３ｂの内部にＬＥＤ１７の照明光の一部が入射され、その入射光はプリズム３ｂの外周面（第２の面）２３ｂを略螺旋状に多重反射を繰り返して平面状の面（第３の面）２４ｂから出射される。
【００２９】
次に、第２の実施の形態について図５および図６を用いて説明する。この実施の形態は、第１の実施の形態の変形例であって、同一の部材には同一の符号を付し、詳しい説明を省略する。  
図５に示すように、光源装置１は、金属フレーム４０を備えている。この金属フレーム４０は例えばアルミ合金や鋼合金などの金属材で形成されている。この金属フレーム４０は、プリズム３を所定の位置に配置する第１および第２の位置決め部４１ａ，４１ｂを備えている。これら第１および第２の位置決め部４１ａ，４１ｂには、プリズム３の第２の平面２３が当接される。また、第１の位置決め部４１ａは矩形状に形成され、第２の平面２３だけでなく、第４の平面２６も当接される。
【００３０】
なお、このプリズム３の第１の平面２５には、高演色の蛍光体４２が塗布されている。この蛍光体４２は、希土類イオンを添加した酸化物や硫化物、あるいは、ガラス中に分散して保持された半導体ナノ粒子である。この蛍光体４２に紫外線を照射すると、白色に発光する。
【００３１】
また、この金属フレーム４０は、ライトガイド５を所定の位置に配置する第３の位置決め部４１ｃを備えている。すなわち、第３の位置決め部４１ｃでライトガイド５の位置を位置決めする。このとき、第１ないし第３の位置決め部４１ａ，４１ｂ，４１ｃによってプリズム３とライトガイド５との間の位置関係が安定した状態が保たれる。
【００３２】
また、図５および図６に示すように、光源ユニット２は、金属フレーム４０にネジ４５によって固定されるフレーム４６を備えている。このフレーム４６は、フレーム本体４７と、このフレーム本体４７からそれぞれ突出された放熱用フレーム４８およびリード４９とを備えている。このフレーム本体４７には、例えば紫外線を発光する複数のＬＥＤチップ５０が固定されている。これらＬＥＤチップ５０は、フレーム本体４７にワイヤボンディングなどにより電気的に接続されている。また、ＬＥＤチップ５０は例えばエポキシ樹脂などの樹脂材５２で封止されている。図６に示すように、この樹脂材５２からは、電気接続用のリード４９および放熱用フレーム４８がそれぞれ突出されている。リード４９は図示しない電気配線板に接続されており、個々のＬＥＤチップ５０に制御駆動回路１９からの電圧を印加することができる。ここで、ＬＥＤチップ５０に印加される電圧は二値であり、時間比率を変えることによってＬＥＤチップ５０の発光量が変調される。各ＬＥＤチップ５０に例えばパルス状に電圧が印加されると、ＬＥＤチップ５０は紫外線を放射する。このとき、制御駆動回路１９は、印加する電圧の出力およびパルス幅を制御する。
【００３３】
フレーム４６は上述したように金属フレーム４０にネジ４５で固定される放熱用フレーム４８を備えている。このため、フレーム４６に設けられた樹脂材５２は、光源ユニット２の後述する蛍光体４２（第１の平面２５）に押圧されている。また、光源ユニット２のＬＥＤチップ５０で生じた熱を放熱用フレーム４８から金属フレーム４０に放熱することができる。このため、ＬＥＤチップ５０に印加される電圧（出力）を大きくしても、ＬＥＤチップ５０を損傷し難くすることができる。
【００３４】
次に、この実施の形態に係わる光源装置１の作用について説明する。  
図示しないコントローラーの指示により、光源ユニット２の制御駆動回路１９で各ＬＥＤチップ５０に電圧を印加する。すると、ＬＥＤチップ５０は紫外線を放射する。ＬＥＤチップ５０が放射した紫外線が蛍光体４２に照射されると、蛍光体４２が励起されて白色の蛍光（照明光）を発する。発せられた蛍光の約半分は第１の平面２５からプリズム３内に入射され、反射膜３０を有する第２の平面２３と第１の平面２５とを多重反射して、第３の平面２４から出射される。また、第１の平面２５から入射された入射光（蛍光）の一部は直接第３の平面２４に向かい、第３の平面２４からライトガイド５の端部に向けて出射される。そうすると、第３の平面２４から出射された出射光は、ライトガイド５に入射される。
【００３５】
一方、発せられた蛍光のうちの残りは、光源ユニット２のフレーム４６のフレーム本体４７側に発せられる。この蛍光はフレーム本体４７で反射されて再びプリズム３（第１の平面２５）側に戻り、第１の平面２５からプリズム３内に入射される。そして、上述したように、同様に多重反射して、ライトガイド５に入射される。このため、図示しない光ファイバの他端から光が出射されて、対象物を照明する。
【００３６】
以上説明したように、この実施の形態によれば、以下の効果が得られる。  
ＬＥＤチップ５０で放射された紫外線は、蛍光体４２を励起して蛍光を発し、この蛍光はプリズム３に第１の平面２５から入射される。プリズム３に入射された入射光は、第２の平面２３と第１の平面２５とで多重反射されながら第３の平面２４に向かう。したがって、第１および第２の平面２５，２３から光が発散することを極力防止することができる。そうすると、第３の平面２４に光を集めた状態で出射光をライトガイド５に導くことができる。すなわち、この光源装置１は、プリズム３を使用してＬＥＤチップ５０からの照明光（紫外線）のうち、プリズム３に入射された入射光（蛍光）を集めた状態でこの入射光をライトガイド５に出射することができ、光の発散を極力防止することができる。
【００３７】
また、ＬＥＤチップ５０は、金属フレーム４０にフレーム４６を介して接続されているので、ＬＥＤチップ５０から発生する熱を容易にフレーム４６のフレーム本体４７から放熱用フレーム４８を通して金属フレーム４０に放熱することができる。このため、各ＬＥＤチップ５０にかける電圧（出力）を大きくしても、ＬＥＤチップ５０の損傷を防止することができる。そうすると、ＬＥＤチップ５０の数量を減らすとともにＬＥＤチップ５０にかける電圧を大きくして所望の光量を得ることができる。また、フレーム４６および金属フレーム４０によってＬＥＤチップ５０から容易に放熱することができるので、各ＬＥＤチップ５０が発熱する発熱量を低く抑えることができ、各ＬＥＤチップ５０の寿命を向上させることができる。
【００３８】
なお、この実施の形態ではプリズム３に蛍光体４２を用いた。その他、赤味の少ない見え方でよければ、黄色に発色する蛍光体と青色発光のＬＥＤチップ５０とを組み合わせて蛍光体を励起してもよい。また、必ずしもＬＥＤチップ５０を用いる必要はなく、砲弾形のＬＥＤ１７を用いても良い。
【００３９】
これまで、いくつかの実施の形態について図面を参照しながら具体的に説明したが、この発明は、上述した実施の形態に限定されるものではなく、その要旨を逸脱しない範囲で行なわれるすべての実施を含む。  
上記説明によれば、下記の事項の発明が得られる。また、各項の組み合わせも可能である。
【００４０】
［付記］
（付記項１）  束ねた複数の光ファイバを有するライトガイドと、
このライトガイドの入射端面に対向した第１の平面と、この第１の平面と９０度以下の角度をなす第２の面と、前記第２の面と４５度以下の角度をなす第３の面とを有するプリズムと、
前記プリズムの前記第３の面に対抗して配置された複数の発光素子と、
それぞれの前記発光素子の発光状態を制御する制御駆動回路と
を有することを特徴とするライトガイド光源装置。
【図面の簡単な説明】
【００４１】
【図１】第１の実施の形態に係わる光源装置の構成を示す概略図。
【図２】第１の実施の形態に係わる光源装置におけるプリズムの概略的な斜視図。
【図３】第１の実施の形態に係わる光源装置におけるプリズムの光の流れを示す概略的な上面図。
【図４】第１の実施の形態に係わる光源装置におけるプリズムを示し、（Ａ）は略円柱状のガラス体の一部が略平面状にカットされたプリズムの概略図、（Ｂ）は略円錐状のガラス体の一部が略平面状にカットされたプリズムの概略図。
【図５】第２の実施の形態に係わる光源装置の構成を示す概略図。
【図６】第２の実施の形態に係わる光源装置の光源ユニットに装着されるフレームを示す概略図。
【図７】従来の技術に係わる光源装置の構成を示す概略図。
【符号の説明】
【００４２】
１…光源装置、２…光源ユニット、３…プリズム、５…ライトガイド、１２…筒状部材、１３…カバーガラス、１４…ロッドレンズ、１５…ライトガイドファイバー、１７…砲弾型ＬＥＤ、１８…実装基板、１９…制御駆動回路、２３…第２の平面、２４…第３の平面、２５…第１の平面、３０…反射膜
【図１】
2005025136.tif 000003
【図２】
2005025136.tif 000004
【図３】
2005025136.tif 000005
【図４】
2005025136.tif 000006
【図５】
2005025136.tif 000007
【図６】
2005025136.tif 000008
【図７】
2005025136.tif 000009